(57)【特許請求の範囲】
【請求項１】
断面が扁平な角型の有底筒状をしたプラグ嵌合凹部（４）の内周面形状に対応した断面形状のコネクタプラグを挿入することによって該コネクタプラグに対する所望の電気接続がなされるようにしてなる角型コネクタソケットにおいて、
プラグ嵌合凹部（４）の内底面から突設されたコンタクト（７）と、
バネ片部（２７）と、バネ片部（２７）に下向きに折り曲げ形成した誤嵌合防止用ストッパー（３５、４０）と、バネ片部（２７）の横向きに延びる横向きアーム部（３７、４１）の先端を下向きに折り曲げて形成したストッパー退避動作片（３６）とからなる誤嵌合防止部材（３）を備え、
ストッパー退避動作片（３６）は、プラグ嵌合凹部（４）の開口部の側部に片寄せた位置に挿入され、正規コネクタプラグ（Ａ）によって退避方向側に移動し、
誤嵌合防止用ストッパー（３５、４０）は、ストッパー退避動作片（３６）よりプラグ嵌合凹部（４）の中央側に挿入され、ストッパー退避動作片（３６）と連動し、
プラグ嵌合凹部（４）の形状に整合する正規コネクタプラグ（Ａ）が挿入された際には、正規コネクタプラグ（Ａ）によってストッパー退避動作片（３６）がプラグ嵌合凹部（４）外に退避する側に動作され、これに連動して誤嵌合防止用ストッパー（３５、４０）がプラグ嵌合凹部（４）外に退避されることによってコネクタプラグが挿入可能となり、
ストッパー退避如動作片（３６）に接触しない小型の非正規コネクタプラグ（Ｂ）が挿入された際には、誤嵌合防止用ストッパー（３５）が退避方向に動作せず、誤嵌合防止用ストッパー（３５、４０）に非正規コネクタプラグ（Ｂ）が当接して挿入が阻止されるようにしたことを特徴としてなるプラグ誤嵌合防止構造付き角型コネクタソケット。
【請求項２】
誤嵌合防止部材（３）は、１枚の金属板材を打ち抜き・曲げ加工することによってストッパー退避動作片（３６）と誤嵌合防止用ストッパー（３５、４０）及びこれらを支持した共通のバネ片部（２７）とを一体に形成し、
誤嵌合防止部材（３）を当該角型コネクタソケットの外周面に固定してなる請求項１に記載のプラグ誤嵌合防止構造付き角型コネクタソケット。
【請求項３】
ストッパー退避動作片（３６）及び誤嵌合防止用ストッパー（３５、４０）が、プラグ嵌合凹部周壁（２ａ）に打ち抜き成型されたプラグ押圧用バネ片（１８）の周囲の窓孔（１９）を通してプラグ嵌合凹部（４）内に挿入されている請求項１又は請求項２に記載のプラグ誤嵌合防止構造付き角型コネクタソケット。
【請求項４】
プラグ嵌合凹部（４）を金属板材からなる外部ケース（２）と外部ケース（２）内に固定した絶縁性合成樹脂材からなるコンタクト保持部材（１）とをもって構成し、
外部ケース（２）に誤嵌合防止部材（３）を一体成型してなる請求項１又は請求項３に記載のプラグ誤嵌合防止構造付き角型コネクタソケット。
【発明の詳細な説明】
【技術分野】
【０００１】
本発明は、レセプタクルとして使用する多ピンの角型コネクタソケットであって、これに対応させた正規プラグより形状の小さい非正規プラグが挿入を防止するプラグ誤嵌合防止構造付き角型コネクタソケットに関する。
【背景技術】
【０００２】
従来、所定の角型形状をした角型コネクタプラグと、これを嵌合させるプラグ嵌合部を有する角型コネクタソケットとからなる角型コネクタが使用されている。この種の角型コネクタは、ソケットのプラグ嵌合部の中央部分に板状をした接触子保持突起が突設され、その両面に複数の接触子が露出する状態で保持されている。これに対するプラグには、前記接触子保持突起が嵌合される長溝状の接触子保持溝が形成され、この内面に接触子が露出される配置で保持され、プラグとソケットとを互いに嵌合させることによって両者における所定の接触子同士が接触するようにしたものが多数開発されている（例えば特許文献１）。
【０００３】
この種の角型コネクタは、所定のプラグ側電子機器とソケット側電子機器との相互に電子回路を互いに接続するものであるため、対応していない電子機器間の接続がなされないように、形状や大きさを所定の角型形状としておき、対応しないプラグとソケットが嵌合されないような構造を採用している。
【先行技術文献】
【特許文献】
【０００４】
【特許文献１】特開平８−１３００５２号公報
【発明の概要】
【発明が解決しようとする課題】
【０００５】
しかし、近年において携帯式電子機器類の小型化に伴い、角型コネクタの形状も著しい小型化が進んでいるため、使用者の目視による特定プラグ形状の判別がしにくくなっていることと、対応するプラグとソケットとの形状を他のコネクタと区別するための変形の許容範囲が狭くなっていることから、所定の対応プラグより小さい形状のプラグが誤って嵌合されてしまうという問題が生じている。
【０００６】
このような誤嵌合がなされると、特に、前述した互いに嵌り合う接触子保持溝の内面と接触子保持突起の外面とに接触子を露出させている形式の場合においては、本来接続されるべきでない電気接続がなされてしまい、電子機器を損傷するという問題がある。
【０００７】
本発明は、このような従来の問題に鑑み、本来嵌合されるべき対応プラグより小さく、これと似かよった形状のプラグが誤嵌合されないようにしたプラグ誤嵌合防止構造付き角型コネクタソケットの提供を目的としてなされたものである。
【課題を解決するための手段】
【０００８】
上述の如き従来の問題を解決し、所期の目的を達成する請求項１に記載の発明の特徴は、断面が扁平な角型の有底筒状をしたプラグ嵌合凹部の内底面から接触片が突設されており、該プラグ嵌合凹部の内周面形状に対応した断面形状のコネクタプラグを挿入することによって該プラグに対する所望の電気接続がなされるようにしてなる角型コネクタソケットにおいて、
【０００９】
前記プラグ嵌合凹部の開口部の側部に片寄せた位置に挿入され、正規コネクタプラグによって退避方向側に移動されるストッパー退避動作片と、該ストッパー退避動作片より前記プラグ嵌合凹部の中央側に挿入され、該ストッパー退避動作片と連動する誤嵌合防止用ストッパーと、該ストッパー退避動作片と誤嵌合防止用ストッパーとを支持した共通のバネ片部とを有する誤嵌合防止部材を備え、
【００１０】
前記プラグ嵌合凹部の形状に整合する正規コネクタプラグが挿入された際には、該正規コネクタプラグによってストッパー退避動作片がプラグ嵌合凹部外に退避する側に動作され、これに連動して前記誤嵌合防止用ストッパーがプラグ嵌合凹部外に退避されることによってコネクタプラグが挿入可能となり、前記ストッパー退避如動作片に接触しない小型の非正規コネクタプラグが挿入された際には、前記誤嵌合防止用ストッパーが退避方向に動作せず、これに非正規コネクタプラグが当接して挿入が阻止されるようにしたプラグ誤嵌合防止構造付き角型コネクタソケットにある。
【００１１】
請求項２に記載の発明の特徴は、請求項１の構成に加え、前記誤嵌合防止部材は、１枚の金属板材を打ち抜き・曲げ加工することによって前記ストッパー退避動作片と誤嵌合防止用ストッパー及びこれらを支持した共通のバネ片部とを一体に形成し、これを当該角型コネクタソケットの外周面に固定したことにある。
【００１２】
請求項３に記載の発明の特徴は、請求項２の構成に加え、前記誤嵌合防止部材のストッパー退避動作片及び誤嵌合防止用ストッパーを、プラグ嵌合凹部周壁に打ち抜き成型されたプラグ押圧用バネ片の周囲の窓孔を通してプラグ嵌合凹部内に挿入されていることにある。
【００１３】
請求項４に記載の発明の特徴は、請求項１〜３の何れか１請求項の構成に加え、前記誤嵌合防止部材は、１つの前記バネ片部の先端部下に前記誤嵌合防止用ストッパーが下向きに折り曲げ形成され、該バネ片部の先端部両側に横向きに延びる一対の横向きアーム部の先端を下向きに折り曲げてストッパー退避動作片が形成されていることにある。
【００１４】
請求項５に記載の発明の特徴は、請求項１の構成に加え、前記プラグ嵌合凹部を金属板材からなる外部ケースと、該外部ケース内に固定した絶縁性合成樹脂材からなるコンタクト保持部材とをもって構成し、前記外部ケースにストッパー退避動作片、誤嵌合防止用ストッパー及びバネ片部を有する誤嵌合防止部材を一体成型したことにある。
【発明の効果】
【００１５】
本発明においては、角型コネクタソケットのプラグ嵌合凹部の開口部の側部に片寄せた位置に挿入され、正規コネクタプラグによって退避方向側に移動されるストッパー退避動作片と、該ストッパー退避動作片より前記プラグ嵌合凹部の中央側に挿入され、該ストッパー退避動作片と連動する誤嵌合防止用ストッパーと、該ストッパー退避動作片と誤嵌合防止用ストッパーとを支持した共通のバネ片部とを有する誤嵌合防止部材を備え、前記プラグ嵌合凹部の形状に整合する正規コネクタプラグが挿入された際には、該正規コネクタプラグによってストッパー退避動作片がプラグ嵌合凹部外に退避する側に動作され、これに連動して前記誤嵌合防止用ストッパーがプラグ嵌合凹部外に退避されることによってコネクタプラグが挿入可能となり、前記ストッパー退避如動作片に接触しない小型の非正規コネクタプラグが挿入された際には、前記誤嵌合防止用ストッパーが退避方向に動作せず、これに非正規コネクタプラグが当接して挿入が阻止されるようにしたことによって、プラグ嵌合凹部に嵌り合うことが可能な小型の非正規コネクタプラグの誤嵌合が的確に防止され、電子機器の安全性が保たれる。
【００１６】
本発明は、前記誤嵌合防止部材を、１枚の金属板材を打ち抜き・曲げ加工することによって前記ストッパー退避動作片と誤嵌合防止用ストッパー及びこれらを支持した共通のバネ片部とを一体に形成し、これを当該角型コネクタソケットの外周面に固定することによって、既存の角型コネクタソケットの設計を殆ど変更することなく誤嵌合防止機能を持った構造とすることができる。
【００１７】
本発明は、前記誤嵌合防止部材のストッパー退避動作片及び誤嵌合防止用ストッパーを、プラグ嵌合凹部周壁に打ち抜き成型されたプラグ押圧用バネ片の周囲の窓孔を通してプラグ嵌合凹部内に挿入させることにより、既存の角型コネクタソケットの設計を変更の程度をより少なくして誤嵌合防止機能を付加できる。
【００１８】
本発明は、前記誤嵌合防止部材を、１つの前記バネ片部の先端部下に前記誤嵌合防止用ストッパーを下向きに折り曲げ形成し、該バネ片部の先端部両側に横向きに延びる一対の横向きアーム部の先端を下向きに折り曲げてストッパー退避動作片を形成することにより、コンパクトな形状に誤嵌合防止部材が構成され、小型の角型コネクタソケットへの装備が容易となる。
【００１９】
本発明は、前記プラグ嵌合凹部を金属板材からなる外部ケースと、該外部ケース内に固定した絶縁性合成樹脂材からなるコンタクト保持部材とをもって構成し、前記外部ケースにストッパー退避動作片、誤嵌合防止用ストッパー及びバネ片部を有する誤嵌合防止部材を一体成型することにより、誤嵌合防止部材を外ケースの成型と同時に形成することができ、加工が容易となり、誤嵌合防止機能を付加するための特別な組み立て工程が不要となり、低コストで製造できる。
【図面の簡単な説明】
【００２０】
【図１】本発明に係るプラグ誤嵌合防止構造付き角型コネクタソケットの第一実施例の斜視図である。
【図２】（ａ）は同上の平面図、（ｂ）は同正面図である。
【図３】図１に示すプラグ誤嵌合防止構造付き角型コネクタソケットに使用しているコンタクト保持部材の斜視図である。
【図４】図１に示すプラグ誤嵌合防止構造付き角型コネクタソケットに使用している外部ケースの斜視図である。
【図５】図１に示すプラグ誤嵌合防止構造付き角型コネクタソケットに使用している誤嵌合防止部材の斜視図である。
【図６】（ａ）は同上の平面図、（ｂ）は同正面図、（ｃ）は同側面図である。
【図７】本発明に係るプラグ誤嵌合防止構造付き角型コネクタソケットに正規プラグを挿入した際の誤嵌合防止部材の動作を示す説明図であり、（ａ）は正面図、（ｂ）は側面図である。
【図８】本発明に係るプラグ誤嵌合防止構造付き角型コネクタソケットに非正規プラグを挿入した際の誤嵌合防止部材の動作を示す説明図であり、（ａ）は正面図、（ｂ）は側
【図９】本発明に係るプラグ誤嵌合防止構造付き角型コネクタソケットの第二実施例を示しており、（ａ）は平面図、（ｂ）は正面図である。
【発明を実施するための形態】
【００２１】
次に本発明の実施の形態を図面に示した実施例に基づいて説明する。図１〜図６は本発明に係るプラグ誤嵌合防止構造付き角型コネクタソケットの第一実施例を示している。この角型コネクタソケットは、所定数のコンタクトを保持する絶縁性合成樹脂製によってモールド成形されたコンタクト保持部材１と、これを包み込むように保持し、プラグ嵌合凹部４を形成する金属板材によってプレス成型された外部ケース２、同じく金属板材によってプレス成型され、外部ケース２に対して固定された誤嵌合防止部材３とから構成されている。
【００２２】
コンタクト保持部材１は、図１〜図３に示すように、外部ケース２のプラグ嵌合凹部４の開口部と同断面形状の本体部５を有し、この本体部５の外周に巻き付けられる配置に外部ケース２が固定され、これによってコンタクト保持部材１が外部ケース２内に保持されている。この本体部５の前面側が、プラグ嵌合凹部４の最奥部（底面）を構成している。
【００２３】
コンタクト保持部材１の前面側、即ちプラグ嵌合凹部４側には、板状をした接触子保持突起６が一体に突設されている。
【００２４】
コンタクト保持部材１には、多数のコンタクト７がインサート成型によって一体化されている。各コンタクト７は、本体部５の背面側から底面側に延長されたはんだ用端子部８を一体に有しているとともに、接触子保持突起６の外面に露出させた接触子部９とを一体に有している。
【００２５】
外部ケース２は、図１、図２及び図４に示すように、帯状の金属板を打ち抜き、プラグ嵌合凹部４の断面形状をした筒状に折り曲げて形成されており、角型コネクタソケットの底面側にて帯状の両端をつき合わせ、蟻継ぎ、即ち一方の蟻型臍１５を他方の蟻型凹部１６に嵌合させることによって開き止めした状態に接合させている。
【００２６】
外部ケース２には、底面両側部に基板のアース側に導通させるアース端子１７，１７が突設されているとともに、上面には嵌合されるプラグの上面を押圧して抜け止め抵抗力を与えるプラグ押圧用バネ片１８，１８が、外部ケース２を構成している金属板を切り抜きくことによって形成されており、このプラグ押圧用バネ片１８，１８の前方側及び左右側が連続した窓孔１９となっている。
【００２７】
この外部ケース２は、その前記コンタクト保持部材１より開口部側が、プラグ嵌合凹部周壁２ａとなっており、この周壁２ａとコンタクト保持部材１の本体部５とによって断面が角型の扁平な有底筒状のプラグ嵌合凹部４が構成されており、その内底面に前述した接触し保持突起６が開口部側に向けて突出した形状となっている。
【００２８】
誤嵌合防止部材３は、図1、図２、図５〜図６に示すように、金属板材を打ち抜き・曲げ加工によって形成されており、外部ケース２の後端側両側面を挟み込む配置の一対の側板部２５，２５と、この両側板部間を、外部ケース２の後端側上面で連結するブリッジ部２６と、ブリッジ部２６の中央より前方側に延びる向きに一体形成したバネ片部２７とを有している。
【００２９】
各側板部２５には、前部側上縁に外部ケース２の上面に当接する止め片２８が形成され、前部下縁に外部ケース２に形成した係止窓２０の下向き縁部に係合する弾性係止爪２９が形成され、誤嵌合防止部材３を外部ケース２上側から嵌め合わせることによって弾性係止爪２９がパツチン止めの状態で係止窓２０の下向き縁部に係合し、外部ケース２に対して抜け止めされるようになっている。また、弾性係止爪２９が係合窓２０の前向き縁部に当接することによって外部ケース２に対する後方側への移動が阻止されるようになっている。
【００３０】
ブリッジ２６の後縁には、下向きに止め片３０が折り曲げ形成されており、これが外部ケース２の上部後端に当接することによって誤嵌合防止部材３の前方側への移動が阻止されるようになっている。
【００３１】
バネ片部２７には、この角型コネクタソケットに対応した正規のプラグ（以下正規プラグと記す）ではなく、これより小型の非正規プラグが挿入された再に、その挿入を阻止する誤嵌合防止用ストッパー３５，３５と、上記正規プラグが挿入された際に、誤嵌合防止用ストッパー３５をプラグ嵌合凹部４外に退避させるためのストッパー退避動作片３６，３６とを有している。
【００３２】
誤嵌合防止用ストッパー３５，３５は、バネ片部２７の両側縁より下向きに折曲げてプラグ嵌合凹部４の幅方向の中央部分に挿入されている。
【００３３】
ストッパー退避動作片３６，３６は、バネ片部２７の先端部両側に横向きに延びる横向きアーム部３７の先端を下向きに折り曲げてストッパー退避動作片が形成され、プラグ嵌合凹部４内の両側部側に片寄せた位置に挿入されている。このストッパー退避動作片３６，３６は、プラグ嵌合凹部４側にテーパ縁部３８が形成されている。このテーパ縁部３８は、プラグ嵌合凹部開口側が、プラグ嵌合凹部４内の上面と略同高さか、それより高く、プラグ嵌合凹部奥側がプラグ嵌合凹部４内の上面より内部に挿入される高さとなるテーパ状に形成されている。
【００３４】
そして、図７に示すように正規プラグＡがプラグ嵌合凹部４内に挿入された際には、テーパ縁部３８が正規プラグの縁部で押し上げられ、これによって横向きアーム部３７を介してバネ片部２７が上向きに湾曲され、これによって誤嵌合防止用ストッパー３５がプラグ嵌合凹部４内から退避する位置まで動作され、正規プラグＡは所定の嵌合位置まで挿入できるようになっている。
【００３５】
一方、図８に示すように、両ストッパー退避動作片３６，３６の何れかに接触しない大きさの非正規プラグＢが挿入されると、接触しない側のストッパー退避動作片３６がプラグ嵌合凹部４内から退避する方向に押し上げられず、両誤嵌合防止用ストッパー３５，３５の両方又は一方がプラグ嵌合凹部４内からの退避が不十分となって、これに非正規プラグＢの端面が当接し、それ以上の差込動作が阻止されるようになっている。
【００３６】
上述した例では１枚のバネ片部２７の根元側に一対の誤嵌合防止用ストッパー３５，３５を設け、先端側にストッパー退避動作片３６，３６を支持させた例を示しているが、この他、図９に示すようにバネ片部２７の先端を下向きに折り曲げて１枚の誤嵌合防止用ストッパー４０を設け、これより根元側に横向きアーム部４１，４１を形成し、それらの先端にストッパー退避動作片３６，３６を形成してもよい。
【００３７】
また、図には示してないが、２本のバネ片部を設け、その先端部にストッパー退避動作片と誤嵌合防止用ストッパーとをそれぞれ設けても良い。
【００３８】
更に、上述の例ではストッパー退避動作片と誤嵌合防止用ストッパーとを外部ケース２にとは別の誤嵌合防止部材３に設けているが、ストッパー退避動作片と誤嵌合防止用ストッパーとを外部ケース２に一体に備えることによって誤嵌合防止部材を構成してもよい。
【符号の説明】
【００３９】
１  コンタクト保持部材
２  外部ケース
２ａ  周壁
３  誤嵌合防止部材
４  プラグ嵌合凹部
５  本体部
６  接触子保持突起
７  コンタクト
８  はんだ用端子部
９  接触子部
１５  蟻型臍
１６  蟻型凹部
１７  アース端子
１８  プラグ押圧用バネ片
１９  窓孔
２０  係合窓
２５  側板部
２６  ブリッジ部
２７  バネ片部
２８  止め片
２９  弾性係止爪
３０  下向きに止め片
３５  誤嵌合防止用ストッパー
３６  ストッパー退避動作片
３７  横向きアーム部
３８  テーパ縁部
４０  誤嵌合防止用ストッパー
４１  横向きアーム部
Ａ  正規プラグ
Ｂ  非正規プラグ
【図１】
0005499873.tif 000002
【図２】
0005499873.tif 000003
【図３】
0005499873.tif 000004
【図４】
0005499873.tif 000005
【図５】
0005499873.tif 000006
【図６】
0005499873.tif 000007
【図７】
0005499873.tif 000008
【図８】
0005499873.tif 000009
【図９】
0005499873.tif 000010